(57)【要約】【課題】負荷状況に応じた電源供給が可能な画像形成装置を提供する。【解決手段】電源がＯＮされていると判断した場合には、次にオプションが装着されているかどうかを判断する（ステップＳ４）。オプションが装着されていると判断した場合には、次に、入力されたジョブがカラー／モノクロのいずれのモード要求であるかを判断する（ステップＳ６）。カラーであると判断した場合には、入力されたジョブがスキャン処理を含むかどうかを判断する（ステップＳ８）。ステップＳ８において、ジョブがスキャン処理を含むと判断した場合には、コピーモードが要求されたと判断し、カラーコピーのモードが要求されたと判断する（ステップＳ１０）。そして、電源出力電流の指令を変更する（ステップＳ１２）。【選択図】図５
2012053189.tif 000002
【特許請求の範囲】
【請求項１】
交流電源と接続可能な少なくとも１つの電源コードと
前記電源コードと接続され、直流電圧を供給するための第１の電源コンバータと、
前記第１の電源コンバータからの電圧供給を受けて駆動する本体部と、
前記本体部と連結可能なオプション部と、
前記オプション部に対応して設けられ、前記交流電源と接続可能なオプション電源コードと、
前記オプション電源コードと接続され、前記直流電圧を供給するための第２の電源コンバータとを備え、
前記オプション部が連結された際に、前記第１の電源コンバータと前記第２の電源コンバータの２次側の出力はそれぞれ並列に接続され、
前記本体部は、前記第１の電源コンバータからの電圧供給を受けて前記第１および第２の電源コンバータを制御するための電源制御部を含み、
前記電源制御部は、前記第１および第２の電源コンバータから前記本体部に供給される電流配分を変更する、画像形成装置。
【請求項２】
前記電源制御部は、動作モードに従って電流配分を変更する、請求項１記載の画像形成装置。
【請求項３】
前記電源制御部は、カラー、モノクロ、プリント、コピーのモードのぞれぞれの組み合わせに従って電流配分を変更する、請求項２記載の画像形成装置。
【請求項４】
前記本体部は、定着部をさらに含み、
前記電源コードと接続され、前記電源制御部からの指示に従って前記定着部に電圧供給する定着電源部をさらに備える、請求項１記載の画像形成装置。
【請求項５】
前記電源制御部は、前記電源コードおよび前記オプション電源コードに流れる電流を定格電流以内にそれぞれ制限する、請求項１記載の画像形成装置。
【請求項６】
前記第１の電源コンバータの前記２次側の出力は、前記本体部の駆動用回路に供給される、請求項１記載の画像形成装置。
【発明の詳細な説明】
【技術分野】
【０００１】
この発明は、電源装置を備えた画像形成装置に関する。
【背景技術】
【０００２】
近年、電子写真プロセスを利用した画像形成装置（例えば、複写機、プリンタ、ファクシミリおよびこれらを組み合わせた複合機など）の印字速度の高速化への要求の高まりに伴って、画像形成装置に装着される定着ヒータのワット数やモータのワット数が増大し、画像形成装置の消費電力が増加する傾向にある。
【０００３】
また、画像形成装置においては、カラー化や高精度化が行われてきている。このようなカラー化や高精度化の要素が加わると、高圧負荷やモータ負荷が増大し、消費電力がさらに増加する。特に、画像形成装置でも複写機の消費電力は大きく、特にデジタル複写機をベースとし、様々な画像処理機能およびドキュメント処理機能を追加した複合機は、大電力を消費する。
【０００４】
ところで、画像形成装置の電源である交流（以下、ＡＣともいう）電源は、コンセントの電流定格による規制があって、この定格電流以下で使うことが必要である。
【０００５】
日本国内の一般的なオフィスでは通常使用できる電力は１５００Ｗが最大であることから、一般的な１００ＶのコンセントからＡＣ電源入力を１本の電源コードでとる場合、電流は１５Ａ以内に制限される。
【０００６】
そこで、消費電力が多い画像形成装置の電力供給方法として、特許文献１に示すように、通常用いられる１００Ｖ用電源コードを複数本備えて、電源コードを選択的に切り替えて電源供給する方式が提案されている。
【先行技術文献】
【特許文献】
【０００７】
【特許文献１】特開２００８−７０５６０号公報
【発明の概要】
【発明が解決しようとする課題】
【０００８】
しかしながら、特許文献１においては、負荷に従って電源コードを切り替える方式であり、負荷状況に応じて電源コードのパフォーマンスを有効に利用することはできない。
【０００９】
本発明は、上記のような問題を解決するためになされたものであって、負荷状況に応じた電源供給が可能な画像形成装置を提供することを目的とする。
【課題を解決するための手段】
【００１０】
本発明のある局面に従う画像形成装置は、交流電源と接続可能な少なくとも１つの電源コードと、電源コードと接続され、直流電圧を供給するための第１の電源コンバータと、第１の電源コンバータからの電圧供給を受けて駆動する本体部と、本体部と連結可能なオプション部と、オプション部に対応して設けられ、交流電源と接続可能なオプション電源コードと、オプション電源コードと接続され、直流電圧を供給するための第２の電源コンバータとを備える。オプション部が連結された際に、第１の電源コンバータと第２の電源コンバータの２次側の出力はそれぞれ並列に接続される。本体部は、第１の電源コンバータからの電圧供給を受けて第１および第２の電源コンバータを制御するための電源制御部を含む。電源制御部は、第１および第２の電源コンバータから本体部に供給される電流配分を変更する。
【００１１】
好ましくは、電源制御部は、動作モードに従って電流配分を変更する。
特に、電源制御部は、カラー、モノクロ、プリント、コピーのモードのぞれぞれの組み合わせに従って電流配分を変更する。
【００１２】
好ましくは、本体部は、定着部をさらに含み、電源コードと接続され、電源制御部からの指示に従って定着部に電圧供給する定着電源部をさらに備える。
【００１３】
好ましくは、電源制御部は、電源コードおよびオプション電源コードに流れる電流を定格電流以内にそれぞれ制限する。
【００１４】
好ましくは、第１の電源コンバータの２次側の出力は、本体部の駆動用回路に供給される。
【発明の効果】
【００１５】
本発明のある局面に従う画像形成装置は、第１の電源コンバータからの電圧供給を受けて駆動する本体部と、第２の電源コンバータからの電圧供給を受ける本体部と連結可能なオプション部とを設ける。オブション部が連結された際に、電源制御部は、第１および第２の電源コンバータから本体部に供給される電流配分を変更する。
【００１６】
当該構成により、定格電流を超える分については、オプション部から必要な電流を供給することが可能であるため、負荷状況に応じた電源供給が可能である。
【図面の簡単な説明】
【００１７】
【図１】本発明の実施の形態に従う画像形成装置の構成を説明する図である。
【図２】本発明の実施の形態に従う画像形成装置１００の概略ブロック図である。
【図３】本発明の実施の形態に従う操作パネル２００について説明する図である。
【図４】本発明の実施の形態に従う電源部８０の回路構成を説明する図である。
【図５】本発明の実施の形態に従う電流供給配分の変更を説明するフロー図である。
【図６】ジョブの種類に応じて変更される出力電流の指令および消費電流について説明する図である。
【図７】図６で説明した出力電流の指令に従う消費電流量を説明する図である。
【発明を実施するための形態】
【００１８】
以下に、図面を参照しつつ、本発明の実施の形態について説明する。以下の説明では、同一の部品および構成要素には同一の符号を付してある。それらの名称および機能も同じである。
【００１９】
図１は、本発明の実施の形態に従う画像形成装置の構成を説明する図である。
図１を参照して、画像形成装置１００は複写機を構成し、複数の稼動部で構成される。具体的には、画像形成装置１００は、原稿を搬送する原稿搬送部２０と、搬送された原稿を画像データとして読取る画像読取部２６と、読取った画像データに基づいて画像を形成する画像形成部１０と、記録用紙を給紙する給紙部１５，１６と、記録用紙に転写された画像を定着させるための定着部４０と、記録用紙に対する後処理を実行するための後処理部３０とを含む。なお、一例として、画像形成装置１００における本体部は、原稿を搬送する原稿搬送部２０と、搬送された原稿を画像データとして読取る画像読取部２６と、読取った画像データに基づいて画像を形成する画像形成部１０と、記録用紙を給紙する給紙部１５，１６と、記録用紙に転写された画像を定着させるための定着部４０とで構成される。そして、画像形成装置１００の本体部のオプション部として、本体部と連結可能な後処理部３０が設けられるものとする。
【００２０】
なお、本例においては、一例として、本体部に交流電源と接続可能な電源コードが設けられるとともに、後処理部３０においても独立に電源コードが設けられているものとする。
【００２１】
また、画像形成装置１００内には、全体を制御する制御部、指示等を入力するための入力部等が設けられる。また、画像形成装置１００内には機内の温度を冷却するための機内用ファン３００も設けられる。
【００２２】
原稿搬送部（自動原稿搬送装置）２０の原稿台２１上に載置された原稿は、搬送ローラ２２等により搬送されて画像読取部２６により読取られて、排紙トレイ２３に排出される。
【００２３】
また、画像読取部２６のＣＣＤ２４は、例えば原稿搬送部２０で搬送された原稿を読取った画像データを取得する。そして、制御部に出力する。
【００２４】
画像形成部１０は、像担持体である感光体、帯電部、露光装置、現像装置、転写ローラ等を有し、搬送される記録用紙Ｐに画像を形成して画像面が未定着である記録済みの記録用紙Ｐを定着部４０へ出力する。なお、本例においては図示されていないが４つの現像装置が設けられており、イエロー、マゼンタ、シアン、ブラックのそれぞれの色を用いてカラープリントが可能であるものとする。
【００２５】
定着部４０は、未定着である記録済みの記録用紙Ｐに対して定着処理を実行する。定着部４０には、ファン３１０と、定着ローラ３１２と、定着ローラ３１２内に設けられたヒータ３１４とが設けられている。
【００２６】
定着部４０から必要に応じて、オプション部として設けられている後処理部３０に排出されて、後処理部３０において、パンチング、ステープル処理等の後処理が実行される。
【００２７】
給紙部１５，１６は、記録用紙Ｐを画像形成部１０に給紙する。
給紙部１５には、複数のサイズの異なる記録用紙が収納されたカセット１３２，１４２，１５２が設けられる。カセット１３２，１４２，１５２にそれぞれ対応して、ピックアップローラ１３１，１４１，１５１が設けられ、カセットから記録用紙を画像形成部１０に搬送する。また、給紙部１６からもピックアップローラ１６１を介して画像形成部１０に搬送される。なお、給紙部１５，１６から画像形成部１０に１枚ずつ記録用紙が搬送される。
【００２８】
図２は、本発明の実施の形態に従う画像形成装置１００の概略ブロック図である。
図２を参照して、ここでは、画像形成装置１００の全体を制御する制御部５０と、後処理を実行するための後処理部３０と、記録用紙を給紙する給紙部１５，１６と、操作パネル等を含む入力部６０と、画像を形成するための画像形成部１０と、メモリ７０と、画像読取部２６と、原稿搬送部２０と、定着部４０と、各部に必要な電力を供給するための電源部８０とが設けられる。
【００２９】
制御部５０は、例えば、ＣＰＵ（Central Processing unit）で構成され、メモリ７０に格納された種々のアプリケーションプログラムを読み込んで、各部を制御する。
【００３０】
図３は、本発明の実施の形態に従う操作パネル２００について説明する図である。
図３を参照して、操作パネル２００は、表示部２１２と、画像形成装置１００の電源投入に用いる電源ＯＮボタン２０４と、１０キー２０２と、スタートボタン２１０とを含む。
【００３１】
表示部２１２上にはタッチパネルが設けられており、表示部２１２上において所定の操作が可能である。
【００３２】
１０キー２０２は、コピー等の枚数を入力するためのボタンである。スタートボタン２１０は、コピー／スキャン等の処理の実行を指示するボタンである。
【００３３】
また、表示部２１２には、各種モードの表示やその他の表示が行われる、そして、タッチパネルによって、表示内容に従った各種設定を行うことができる。例えば、表示部２１２には、通常は、コピー動作やスキャン動作を実行する際に行う基本的／応用的な設定のためのボタンが配置されている。各ボタンを押下すると、その詳細設定を行うための階層画面が表示される。
【００３４】
図４は、本発明の実施の形態に従う電源部８０の回路構成を説明する図である。
図４を参照して、本発明の実施の形態に従う電源部８０は、本体部の各部に対する電源供給を実行するためのメイン電源制御部ＣＣ２と、メイン電源制御部ＣＣ２に電源供給を行なうためのメインＤＣ／ＤＣコンバータ９０と、定着部４０に電源供給を行なうための定着電源部９４とを含む。
【００３５】
また、オプション部の電源部１８０は、オプション部である後処理部３０に対する電源供給を実行するためのサブ電源制御部ＣＣ６と、サブ電源制御部ＣＣ６に電源供給を行なうためのサブＤＣ／ＤＣコンバータ９２とを含む。なお、オプション部と本体部とはコネクタＣＮ１を介して装着されているものとする。当該装着に従って電源ノードＮ４，Ｎ５と電源ノードＮ１４，Ｎ１５とがそれぞれ電気的に結合されるものとする。
【００３６】
交流電源Ｖａｃ１は、メインＤＣ／ＤＣコンバータ９０と、定着電源部９４とに電源供給されるように並列に接続する。
【００３７】
まず、電源部８０のメインＤＣ／ＤＣコンバータ９０の構成について説明する。
交流電源Ｖａｃ１の正極側の電源ラインは、スイッチＳＷ１を介してノードＮ０と電気的に結合される。また、交流電源Ｖａｃ１の負極側の電源ラインは、電源ノードＮ１と電気的に結合される。
【００３８】
ノードＮ０とノードＮ１との間には４つのダイオードＤ１〜Ｄ４でブリッジ接続された整流回路が設けられる。具体的には、ダイオードＤ１は、アノード側がノードＮ０と結合され、カソード側がノードＮ２と結合される。また、ダイオードＤ２は、アノード側がノードＮ１と結合され、カソード側がノードＮ２と結合される。また、ダイオードＤ３は、アノード側がノードＮ３と結合され、カソード側がノードＮ０と結合される。また、ダイオードＤ４は、アノード側がノードＮ３と結合され、カソード側がノードＮ１と結合される。
【００３９】
整流回路の出力ノードであるノードＮ２とノードＮ３とから出力される整流電圧を力率改善回路８２にて力率を改善し、昇圧、平滑、定電圧化する。
【００４０】
そして、平滑コンデンサＣ１と、スイッチＱ２を介してトランスＴ１の一次巻線Ｌ１とが並列に接続される。２次側の構成として、トランスＴ１の二次巻線Ｌ２は、整流ダイオードＤ６を介して電源ノードＮ４と電源ノードＮ５との間において、平滑コンデンサＣ２と並列に接続される。
【００４１】
また、もう１つの２次側の構成として、トランスＴ１の二次巻線Ｌ３は、整流ダイオードＤ７を介して電源ノードＮ７と電源ノードＮ８との間において、平滑コンデンサＣ３と並列に接続される。
【００４２】
スイッチＱ２は、スイッチング制御部ＣＣ１によりオンオフ制御（ＰＷＭ制御）され、この動作によりトランスＴ１をスイッチング制御し、出力電圧を所定電圧（２４Ｖ，５Ｖ）となるように制御する。一例として、所定電圧（５Ｖ）は、制御部５０で用いられ、所定電圧（２４Ｖ）は、他のモータ等を有する駆動系の各部で用いられる。
【００４３】
次に、定着電源部９４の構成について説明する。
交流電源Ｖａｃ１の正極側の電源ラインは、スイッチＳＷ１を介してノードＮ０と電気的に結合される。また、交流電源Ｖａｃ１の負極側の電源ラインは、ノードＮ１と電気的に結合される。すなわち、メインＤＣ／ＤＣコンバータと並列に接続される。
【００４４】
ノードＮ１６とノードＮ１７との間には４つのダイオードＤ８〜Ｄ１１でブリッジ接続された整流回路が設けられる。具体的には、ダイオードＤ８は、アノード側がノードＮ０と結合され、カソード側がノードＮ１６と結合される。また、ダイオードＤ９は、アノード側がノードＮ１と結合され、カソード側がノードＮ１６と結合される。また、ダイオードＤ１０は、アノード側がノードＮ１７と結合され、カソード側がノードＮ０と結合される。また、ダイオードＤ１１は、アノード側がノードＮ１７と結合され、カソード側がノードＮ１と結合される。
【００４５】
整流回路の出力ノードであるノードＮ１６とノードＮ１７との間には、スイッチＱ３，Ｑ４が直列に接続される。スイッチＱ３，Ｑ４の接続ノードＮ１８と、ノードＮ１７との間には、スイッチＱ４と並列に、コイルＬ４と、コンデンサＣ４とが直列に接続される。コイルＬ４は、定着部４０の負荷である。
【００４６】
スイッチング制御部ＣＣ３は、スイッチＱ３，Ｑ４をオンオフ制御し、コイルＬ４とコンデンサＣ４とを共振動作させる。これにより定着部４０を誘導加熱し、定着部４０の温度制御を実行する。
【００４７】
次に、電源部１８０のサブＤＣ／ＤＣコンバータ９２の構成について説明する。
交流電源Ｖａｃ２の正極側の電源ラインは、スイッチＳＷ２を介してノードＮ１０と電気的に結合される。また、交流電源Ｖａｃ２の負極側の電源ラインは、電源ノードＮ１１と電気的に結合される。ノードＮ１２とノードＮ１３との間には、４つのダイオードＤ１２〜Ｄ１５でブリッジ接続された整流回路が設けられる。具体的には、ダイオードＤ１２は、アノード側がノードＮ１０と結合され、カソード側がノードＮ１２と結合される。また、ダイオードＤ１３は、アノード側がノードＮ１１と結合され、カソード側がノードＮ１２と結合される。また、ダイオードＤ１４は、アノード側がノードＮ１３と結合され、カソード側がノードＮ１０と結合される。また、ダイオードＤ１５は、アノード側がノードＮ１３と結合され、カソード側がノードＮ１１と結合される。
【００４８】
整流回路の出力ノードであるノードＮ１２とノードＮ１３とから出力される整流電圧を力率改善回路８６にて力率を改善し、昇圧、平滑、定電圧化する。
【００４９】
そして、平滑コンデンサＣ５と、スイッチＱ５を介してトランスＴ２の一次巻線Ｌ６とが並列に接続される。２次側の構成として、トランスＴ２の二次巻線Ｌ７は、整流ダイオードＤ１７を介して電源ノードＮ１４と電源ノードＮ１５との間において、平滑コンデンサＣ６と並列に接続される。
【００５０】
また、もう１つの２次側の構成として、トランスＴ２の二次巻線Ｌ８は、整流ダイオードＤ１８を介して電源ノードＮ１９と電源ノードＮ２０との間において、平滑コンデンサＣ７と並列に接続される。
【００５１】
スイッチＱ５は、スイッチング制御部ＣＣ５によりオンオフ制御（ＰＷＭ制御）され、この動作によりトランスＴ２をスイッチング制御し、出力電圧を所定電圧（２４Ｖ，５Ｖ）となるように制御する。一例として、所定電圧（５Ｖ）は、オプション部である後処理部３０の制御基板で用いられ、所定電圧（２４Ｖ）は、後処理部３０のモータ等を有する駆動系で用いられる。
【００５２】
そして、メインＤＣ／ＤＣコンバータ９０を補助するためにサブＤＣ／ＤＣコンバータ９２の電源ノードＮ１４とノードＮ４とは電気的に結合されている。また、電源ノードＮ１５とノードＮ５とは電気的に結合されている。
【００５３】
電流検出部８４，８８は、所望の電流が得られるかどうかを検出するためのものである。具体的には、ノードＮ４とメイン電源制御部ＣＣ２の２４Ｖの入力端子との間に電流検出部８４が設けられる。
【００５４】
また、ノードＮ１４と、サブ電源制御部ＣＣ６の２４Ｖの入力端子との間に電流検出部８８が設けられる。この電流検出部８４，８８でそれぞれ検出された電流値は、メイン電源制御部ＣＣ２に入力される。
【００５５】
図５は、本発明の実施の形態に従う電流供給配分の変更を説明するフロー図である。当該フローは、一例として、制御部５０で実行されるものとする。
【００５６】
図５を参照して、電源がＯＮされているかどうかを判断する（ステップＳ２）。
ステップＳ２で電源がＯＮされていると判断した場合（ステップＳ２においてＹＥＳ）には、次にオプションが装着されているかどうかを判断する（ステップＳ４）。オプションである後処理部が本体部と装着されているかどうかを判断する。
【００５７】
ステップＳ４において、オプションが装着されていると判断した場合（ステップＳ４においてＹＥＳ）には、次に、入力されたジョブがカラー／モノクロのいずれのモード要求であるかを判断する（ステップＳ６）。
【００５８】
ステップＳ６においてカラーであると判断した場合（ステップＳ６においてＹＥＳ）には、ステップＳ８に進む。一方、カラーでないと判断した場合（ステップＳ６においてＮＯ）すなわちモノクロであると判断した場合には、ステップＳ１８に進む。
【００５９】
ステップＳ８において、次に、入力されたジョブがスキャン処理を含むかどうかを判断する（ステップＳ８）。ステップＳ８において、ジョブがスキャン処理を含むと判断した場合（ステップＳ８においてＹＥＳ）には、コピーモードが要求されたと判断し、カラーコピーのモードが要求されたと判断する（ステップＳ１０）。そして、電源出力電流の指令を変更する（ステップＳ１２）。本例においては、７Ａに変更する。
【００６０】
一方、ステップＳ８において、ジョブがスキャン処理を含まないと判断した場合（ステップＳ８においてＮＯ）には、プリントモードが要求されたと判断し、カラープリントのモードが要求されたと判断する（ステップＳ１４）。そして、電源出力電流の指令を変更する（ステップＳ１６）。本例においては、６Ａに変更する。
【００６１】
ステップＳ６においてカラーでないと判断した場合（ステップＳ６においてＮＯ）には、次に、入力されたジョブがスキャン処理を含むかどうかを判断する（ステップＳ１８）。ステップＳ１８において、ジョブがスキャン処理を含むと判断した場合（ステップＳ１８においてＹＥＳ）には、コピーモードが要求されたと判断し、モノクロコピーのモードが要求されたと判断する（ステップＳ２０）。そして、電源出力電流の指令を変更する（ステップＳ２２）。本例においては、５Ａに変更する。
【００６２】
一方、ステップＳ１８において、ジョブがスキャン処理を含まないと判断した場合（ステップＳ１８においてＮＯ）には、プリントモードが要求されたと判断し、モノクロプリントのモードが要求されたと判断する（ステップＳ２４）。そして、電源出力電流の指令を変更する（ステップＳ２６）。本例においては、４Ａに変更する。
【００６３】
図６は、ジョブの種類に応じて変更される出力電流の指令および消費電流について説明する図である。
【００６４】
図６を参照して、ここで、出力電流の指令信号ＣＮＴ１〜ＣＮＴ３がそれぞれ一例として示されている。
【００６５】
ここでは、ジョブの種類に応じて電流供給量を調整する場合が示されている。
カラーコピーの場合には、メイン電源制御部ＣＣ２は、それぞれのスイッチング制御部に対して指令信号ＣＮＴ１（２Ａ）、指令信号ＣＮＴ２（７Ａ）、指令信号ＣＮＴ３（１３Ａ）を出力するように指示する。
【００６６】
上述したように図４の電源部８０においては、メイン電源制御部ＣＣ２からの指令信号に従って駆動する。
【００６７】
具体的には、オプション部のサブＤＣ／ＤＣコンバータ９２は、指令信号ＣＮＴ２に従って２次側に７Ａの電流を供給する。ここで、電流検出部８８で検出されるオプション部の消費電流は２Ａである。したがって、サブＤＣ／ＤＣコンバータ９２からメインＤＣ／ＤＣコンバータ９０に対して５Ａを供給することが可能となる。そして、本体部のメインＤＣ／ＤＣコンバータ９０は、指令信号ＣＮＴ１に従って２次側に２Ａの電流を供給する。サブＤＣ／ＤＣコンバータ９２からの５Ａと合わせると、電流検出部８４に流れる電流は７Ａとなる。そして、定着電源部９４は、指令信号ＣＮＴ３に従って１３Ａの電流を定着部４０に供給する。
【００６８】
同様にカラープリントの場合には、メイン電源制御部ＣＣ２は、それぞれのスイッチング制御部に対して指令信号ＣＮＴ１（２Ａ）、指令信号ＣＮＴ２（６Ａ）、指令信号ＣＮＴ３（１３Ａ）を出力するように指示する。
【００６９】
オプション部のサブＤＣ／ＤＣコンバータ９２は、指令信号ＣＮＴ２に従って２次側に６Ａの電流を供給する。ここで、電流検出部８８で検出されるオプション部の消費電流は２Ａである。したがって、サブＤＣ／ＤＣコンバータ９２からメインＤＣ／ＤＣコンバータ９０に対して４Ａを供給することが可能となる。そして、本体部のメインＤＣ／ＤＣコンバータ９０は、指令信号ＣＮＴ１に従って２次側に２Ａの電流を供給する。サブＤＣ／ＤＣコンバータ９２からの４Ａと合わせると、電流検出部８４に流れる電流は６Ａとなる。そして、定着電源部９４は、指令信号ＣＮＴ３に従って１３Ａの電流を定着部４０に供給する。
【００７０】
また、モノクロコピーの場合には、メイン電源制御部ＣＣ２は、それぞれのスイッチング制御部に対して指令信号ＣＮＴ１（２Ａ）、指令信号ＣＮＴ２（５Ａ）、指令信号ＣＮＴ３（１３Ａ）を出力するように指示する。
【００７１】
オプション部のサブＤＣ／ＤＣコンバータ９２は、指令信号ＣＮＴ２に従って２次側に５Ａの電流を供給する。ここで、電流検出部８８で検出されるオプション部の消費電流は２Ａである。したがって、サブＤＣ／ＤＣコンバータ９２からメインＤＣ／ＤＣコンバータ９０に対して３Ａを供給することが可能となる。そして、本体部のメインＤＣ／ＤＣコンバータ９０は、指令信号ＣＮＴ１に従って２次側に２Ａの電流を供給する。サブＤＣ／ＤＣコンバータ９２からの３Ａと合わせると、電流検出部８４に流れる電流は５Ａとなる。そして、定着電源部９４は、指令信号ＣＮＴ３に従って１３Ａの電流を定着部４０に供給する。
【００７２】
また、モノクロプリントの場合には、メイン電源制御部ＣＣ２は、それぞれのスイッチング制御部に対して指令信号ＣＮＴ１（２Ａ）、指令信号ＣＮＴ２（４Ａ）、指令信号ＣＮＴ３（１３Ａ）を出力するように指示する。
【００７３】
オプション部のサブＤＣ／ＤＣコンバータ９２は、指令信号ＣＮＴ２に従って２次側に４Ａの電流を供給する。ここで、電流検出部８８で検出されるオプション部の消費電流は２Ａである。したがって、サブＤＣ／ＤＣコンバータ９２からメインＤＣ／ＤＣコンバータ９０に対して２Ａを供給することが可能となる。そして、本体部のメインＤＣ／ＤＣコンバータ９０は、指令信号ＣＮＴ１に従って２次側に２Ａの電流を供給する。サブＤＣ／ＤＣコンバータ９２からの２Ａと合わせると、電流検出部８４に流れる電流は４Ａとなる。そして、定着電源部９４は、指令信号ＣＮＴ３に従って１３Ａの電流を定着部４０に供給する。
【００７４】
図７は、図６で説明した出力電流の指令に従う消費電流量を説明する図である。
図７に示されるように、メイン電源制御部ＣＣ２は、定格電流（１５Ａ）を越えないように指令信号ＣＮＴ１，ＣＮＴ３により指示して定格電流（１５Ａ）の範囲内でメインＤＣ／ＤＣコンバータを駆動する。そして、定格電流を越える電流分については、指令信号ＣＮＴ２に従ってオプション部のサブＤＣ／ＤＣコンバータ９２から供給する。
【００７５】
ここでは、カラーコピー、カラープリント、モノクロコピー、モノクロプリントについてそれぞれ定格電流を越える電流量をオプション部から供給する場合が示されている。
【００７６】
従来においては、オプション部からの電流供給が無かったため、例えば、カラーコピーの場合には、定格電流を越えないように定着電源部９４に対する指令信号ＣＮＴ３を調整していた。つまり定着電源部９４に供給する電流量を減らして、その減らした電流量分を本体消費電流としていた。したがって、定着部４０のパフォーマンスを落としてジョブを実行していた。
【００７７】
本実施の形態においては、定着部４０のパフォーマンスを落とすことなく定着電源部９４に電流を十分に供給することが可能となるとともに、定格電流を超える分については、オプション部のサブＤＣ／ＤＣコンバータ９２から必要な電流を供給することが可能である。したがって、定着部４０のパフォーマンスを維持して高い生産性を確保することが可能となる。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７９】
１０  画像形成部、１５，１６  給紙部、２０  原稿搬送部、２１  原稿台、２２  搬送ローラ、２３  排紙トレイ、２６  画像読取部、３０  後処理部、４０  定着部、５０  制御部、６０  入力部、７０  メモリ、８０，１８０  電源部、９０，９２  ＤＣ／ＤＣコンバータ、９４  定着電源部、１００  画像形成装置。
【図１】
2012053189.tif 000003
【図２】
2012053189.tif 000004
【図３】
2012053189.tif 000005
【図４】
2012053189.tif 000006
【図５】
2012053189.tif 000007
【図６】
2012053189.tif 000008
【図７】
2012053189.tif 000009